(57)【要約】【課題】  屋外の条件が悪い場合には、観測不能になるという課題があった。また、指向精度性能の確保が困難であるという課題があった。【解決手段】  土台面に対して四角形を形成する支持壁と、この支持壁の各角部の上端に支持され、前記支持壁の四角形に対応して前記支持壁の上方に直方体の稜線を形成したフレームと、隣り合うフレームにそれぞれ平面透明板を固定したドーム部と、このドーム部の内部において全周方向及び上下方向に回転するように設置され、前記フレームに対する所定の口径及び焦点距離を有し、前記フレーム及び前記ドーム部を介して対象物を観察する観測方向において前記フレームが視野画像内に写らないようにした望遠鏡とを備えた望遠鏡装置。【選択図】        図３
2005316498.tif 000002
【特許請求の範囲】
【請求項１】
土台面に対して四角形を形成する支持壁と、この支持壁の各角部の上端に支持され、前記支持壁の四角形に対応して前記支持壁の上方に直方体の稜線を形成したフレームと、隣り合うフレームにそれぞれ平面透明板を固定したドーム部と、このドーム部の内部において全周方向及び上下方向に回転するように設置され、前記フレームに対する所定の口径及び焦点距離を有し、前記フレーム及び前記ドーム部を介して対象物を観察する観測方向において前記フレームが視野画像内に写らないようにした望遠鏡とを備えた望遠鏡装置。
【発明の詳細な説明】
【技術分野】
【０００１】
この発明は、望遠鏡と、望遠鏡を内部に設置し、全周全天範囲に渡って観測運用するための屋外設置の観測用筐体または建屋で構成される望遠鏡装置に関するものである。
【背景技術】
【０００２】
従来、望遠鏡を内部に設置して屋外で観測運用する筐体または観測建屋（以下、これらを総称して観測用筐体ともいう。）は、雪、氷、雨、気温、日射、昆虫や鳥獣被害等に対する耐環境性を確保するため、さまざまな構造のものがあった。
【０００３】
図１３は、望遠鏡を内部に設置して屋外使用する従来の開閉ドーム式の観測用筐体３１の構造を説明するための部分断面図であり、中心付近に設置した望遠鏡の正面図と、望遠鏡の設置場所付近の観測用筐体の断面図とを組み合わせて示したものである。なお、断面を表すハッチングは省略している。
図において、Ｔは望遠鏡である。３１は開閉ドーム式の観測用筐体である。３２は半球状のドーム部であり、３３はドーム部３２の下側に沿って設けられドーム部３２を支える曲面の壁である。３２ａはドーム部３２の最上部付近に設けられたスライド式の開閉部である。
次に動作について説明する。
開閉部３２ａを動作させてドーム部３２の上部を開放し、観測したい方角の空に望遠鏡Ｔを動かして固定することにより、開放された開閉部３２ａから見える対象物を観測する。使用しないときは開閉部３２ａは閉じた状態である。
【０００４】
図１４は、スライド式の開閉部を備えた屋根を有する従来の観測用筐体３５の部分断面図であり、中心付近に設置した望遠鏡の正面図と、望遠鏡の設置場所付近の観測用筐体の断面図とを組み合わせて示したものである。なお、断面を表すハッチングは省略して示している。
図において、Ｔは望遠鏡である。３５はスライド式の開閉部を備えた屋根を有する観測用筐体であり方形状の外観である。３６は観測用筐体３５の上面の屋根である。３６ａは屋根３６の中心付近の、望遠鏡が設置されている場所の上部辺りに設けられたスライド式の開閉部である。
次に動作について説明する。
開閉部３６ａを動作させて屋根３６の上部を開放し、観測したい方角の空に望遠鏡Ｔを動かして固定することにより、開放された開閉部３６ａから見える対象物を観測する。使用しないときは開閉部３６ａは閉じた状態である。
【０００５】
図１５は、回転式筐体を有する従来の観測用筐体４１の側面図であり、回転式筐体の内部を透視して示してある。図において、Ｔは望遠鏡である。４１は回転式筐体を有する観測用筐体である。４２は望遠鏡Ｔを収納する回転式筐体である。回転式筐体４２は直方体形状の外観をしており、望遠鏡Ｔのレンズ側に対応する前面部分のみ平面ガラスが用いられている。４３は回転式筐体４２を支える支柱であり、４４は回転式筐体４２を支柱４３に回動可能に固定する回転軸である。４５は土台であり、他の構成要素を支えている。矢印は回転式筐体４２が回転する方向を示しており、矢印Ｑは上下方向、矢印Ｒは左右（全周）方向を示す。  次に動作について説明する。
支柱４３に固定されている回転軸４４を中心として観測したい方角の空に望遠鏡Ｔを矢印Ｑ方向またはＲ方向に動かすことにより、回転式筐体４２の前面を通して対象物を観測する。
【０００６】
図１６は、望遠鏡を内部に設置して屋外使用する従来のドーム式の観測用筐体５１の構造を説明するための部分断面図であり、中心付近に設置した望遠鏡の正面図と、望遠鏡の設置場所付近の観測用筐体の断面図とを組み合わせて示したものである。なお、断面を表すハッチングは省略して示している。
図において、Ｔは望遠鏡である。５１はドーム式の観測用筐体である。５２はアクリルまたはガラス製の、透明な半球状のドーム部であり、５３はドーム部５２を支える曲面の壁である。
次に動作について説明する。
観測したい方角の空に望遠鏡Ｔを動かして固定することにより、ドーム部５２を通して対象物を観測する。
【発明の開示】
【発明が解決しようとする課題】
【０００７】
従来の、望遠鏡を内部に設置して屋外使用する観測用筐体は、以上のように構成されているので、以下に示すような課題があった。
１．観測用筐体３１および３５は、望遠鏡を観測運用する際にのみ、ドーム部や屋根の開閉部を開閉する方式であり、雪、氷、雨風、気温、日射、昆虫、鳥獣等に対する耐環境性を保ちながら望遠鏡および機器類を保護するには、開閉部を開放することができない。このため、屋外の条件が悪い場合には、観測不能になる。また、開閉部を開閉する管理人あるいは開閉装置が必要であり、コストを抑えることが難しい。
２．観測用筐体４１の場合、全周方向（矢印Ｒ方向）と上下方向（矢印Ｑ方向）とを観測するのに望遠鏡Ｔを収納した回転式筐体４２ごとを回転させる必要があるため、回転物が大型である上、このために遠方の観測対象物を視覚的に捕捉する性能（指向精度性能）の確保が著しく困難となる。
３．観測用筐体５１の場合、透明な半球状のドーム部５２自体が光学的な屈折レンズとして働き、望遠鏡の像をぼかす等のおそれがある。このため、観測可能な望遠鏡は口径が小さく焦点距離が短いものに限定される。
【０００８】
この発明は以上の課題を解説するためになされたものであり、小型で簡素な構成として指向精度性能の確保を容易とし、観測時および非観測時に限らず望遠鏡や機器類の耐環境性の維持を常時可能とする観測用筐体を得ることを目的とする。
また、雪、氷、雨風、気温、日射、昆虫や鳥獣による被害等の条件下でも観測運用が可能な観測用筐体を得ることを目的とする。
また、さまざまな口径および焦点距離の望遠鏡に対応できる観測用筐体を得ることを目的とする。
【課題を解決するための手段】
【０００９】
この発明の請求項１に係る望遠鏡装置は、土台面に対して四角形を形成する支持壁と、この支持壁の各角部の上端に支持され、前記支持壁の四角形に対応して前記支持壁の上方に直方体の稜線を形成したフレームと、隣り合うフレームにそれぞれ平面透明板を固定したドーム部と、このドーム部の内部において全周方向及び上下方向に回転するように設置され、前記フレームに対する所定の口径及び焦点距離を有し、前記フレーム及び前記ドーム部を介して対象物を観察する観測方向において前記フレームが視野画像内に写らないようにした望遠鏡とを備えたものである。
【発明の効果】
【００１０】
以上のように、この発明によれば、ドームや屋根の開閉部を開閉する開閉装置等を設ける必要がなく、簡素な構成によって望遠鏡の観測運用を実現する望遠鏡装置を得ることができる。
【発明を実施するための最良の形態】
【００１１】
以下、この発明の実施の一形態を説明する。
この発明の望遠鏡の観測用筐体の基本的な構造は、複数の平面を接合してなる透明なドーム部と、このドーム部の下側に沿って設けられた支持壁とを備えたものである。また、ドーム部はこのドーム部を構成する平面の接合部分およびドーム部と支持壁との境目を辺とする多面体を構成している。また、本発明の対象となる望遠鏡には、遠距離用（例えば、惑星観測用）天体望遠鏡、近距離用（例えば、月観測用）天体望遠鏡、遠距離用天体望遠鏡と近距離用天体望遠鏡を組み合わせたものなどが含まれる。
実施の形態１．
図１はこの発明の実施の形態１による望遠鏡の観測用筐体１の構造を説明するための概略的な斜視図であり、観測用筐体１内部の中心付近に望遠鏡を設置した状態で示してある。図において、１は望遠鏡の観測用筐体（筐体または観測建屋を総称したものである。）である。２は複数の平面を接合してなる透明なドーム部である。すでに述べてあるように、ドーム部２は、複数の平面の接合部分およびドーム部２と後述する支持壁との境目を辺とする多面体を構成する。ここではドーム部２は四角錐形状である。また、ドーム部２の全平面が透明のガラスやアクリル等からなる。３はドーム部２を支える支持壁であり、ドーム部２の平面と同じ数の平面の支持壁がドーム部２の下側に沿って設けられている。ここでは、４平面の支持壁が設けられている。支持壁３は例えば金属、コンクリート等からなる。Ｔは望遠鏡である。
【００１２】
次に動作について説明する。
観測したい方角の空に望遠鏡Ｔを動かして固定することにより、ドーム部２を通して対象物を観測する。
【００１３】
以上のように、この実施の形態１によれば、望遠鏡の観測用筐体１をドーム部２と支持壁３とで構成している。
このように簡素な構成としたため、観測時に回転するのは望遠鏡のみであり、指向精度性能の確保が容易となる効果が得られる。また、ドームや屋根の開閉部を開閉する管理人または開閉装置等を必要としないため、コストを抑えることができるという効果が得られる。
また、観測時および非観測時に限らず、雪、氷、雨風、気温、日射、昆虫や鳥獣による被害等に対する望遠鏡や機器類の耐環境性の維持を常時可能とする効果が得られる。
また、雪、氷、雨風等の条件下でも観測運用が可能となる効果が得られる。
また、多面体を四角錐として望遠鏡の観測用筐体を構成したので、形成が容易で安定性が高い観測用筐体となる効果が得られる。
【００１４】
実施の形態２．
図２はこの発明の実施の形態２による望遠鏡の観測用筐体５の構造を説明するための概略的な斜視図であり、中心付近に望遠鏡を設置した状態で示してある。図において、５は望遠鏡の観測用筐体（筐体または観測建屋を総称したものである。）である。６は複数の平面を接合してなる透明なドーム部である。実施の形態１と同様に、ドーム部６は複数の平面の接合部分およびドーム部６と後述する支持壁との境目を辺とする多面体を構成し、ここでは三角錐形状である。また、ドーム部６の全平面が透明のガラスやアクリル等からなる。７はドーム部６を支える支持壁であり、ドーム部６の平面と同じ数の平面の支持壁がドーム部６の下側に沿って設けられている。ここでは、３平面の支持壁が設けられている。支持壁７は例えば金属、コンクリート等からなる。Ｔは望遠鏡である。
【００１５】
次に動作について説明する。
観測したい方角の空に望遠鏡Ｔを動かして固定することにより、ドーム部６を通して対象物を観測する。
【００１６】
以上のように、この実施の形態２によれば、望遠鏡の観測用筐体５をドーム部６と支持壁７とで構成している。このため、実施の形態１と同様の効果が得られる。
また、ドーム部６を三角錐形状としたため、小型化が可能であり、支持壁７と併せて材料を少なくすることが可能なため、コストが抑えられるという効果が得られる。
【００１７】
実施の形態３．
図３はこの発明の実施の形態３による望遠鏡の観測用筐体１１の構造を説明するための概略的な斜視図であり、中心付近に望遠鏡を設置した状態で示してある。図において、１１は望遠鏡の観測用筐体（筐体または観測建屋を総称したものである。）である。１２は複数の平面を接合してなる透明なドーム部である。実施の形態１と同様に、ドーム部１２は、複数の平面の接合部分およびドーム部１２と後述する支持壁との境目を辺とする多面体を構成し、ここでは直方体形状である。また、ドーム部１２の全平面が透明のガラスやアクリル等からなる。１３はドーム部１２を支える支持壁であり、ドーム部１２の側面と同じ数の平面の支持壁がドーム部１２の下側に沿って設けられている。ここでは、４平面の支持壁が設けられている。支持壁１３は例えば金属、コンクリート等からなる。Ｔは望遠鏡である。
【００１８】
次に動作について説明する。
観測したい方角の空に望遠鏡Ｔを動かして固定することにより、ドーム部１２を通して対象物を観測する。
【００１９】
以上のように、この実施の形態３によれば、望遠鏡の観測用筐体１１をドーム部１２と支持壁１３とで構成している。このため、実施の形態１と同様の効果が得られる。
また、ドーム部１２を直方体形状としたため、形成が容易であるという効果が得られる。
なお、ここではドーム部１２を直方体形状としたが、立方体形状の場合も同様の効果が得られることは明らかである。
【００２０】
実施の形態４．
図４はこの発明の実施の形態４による望遠鏡の観測用筐体１５の構造を説明するための概略的な斜視図であり、中心付近に望遠鏡を設置した状態で示してある。ここでは、例えば実施の形態１の形状の観測用筐体１に実施の形態４を適用した場合について説明する。図において、２ａはドーム部２の接合部分と、ドーム部２と支持壁３との境目に設けられたフレームである。フレーム２ａは例えば鉄等の金属からなり、観測用筐体の強度を高める目的で用いられるものである。
その他の構成および動作については実施の形態１と同様である。
【００２１】
以上のように、この実施の形態４によれば、望遠鏡の観測用筐体１５をドーム部２と支持壁３とフレーム２ａとで構成している。このため、実施の形態１と同様の効果が得られる。
また、フレーム２ａを備えたことにより、観測用筐体の強度がより高くなるという効果が得られる。
【００２２】
実施の形態５．
図５はこの発明の実施の形態５の概略的な説明図であり、ここでは実施の形態４の観測用筐体１５に適用した場合につき説明してある。図５（ａ）は観測用筐体１５の概略的な斜視図であり、中心付近に望遠鏡Ｔを設置した状態で示してある。図５（ｂ）は図５（ａ）の点線で囲んだ部分である、望遠鏡Ｔの前面とその付近を中心とした拡大図である。図５（ｃ）はフレーム２ａにかかる方向に望遠鏡Ｔを向けたときの望遠鏡Ｔの視野画像を模式的に示した図であり、図５（ｄ）は観測用筐体１５に対し適切な口径および焦点距離の望遠鏡Ｔを用いる場合による、望遠鏡Ｔの視野画像を模式的に示した図である。
【００２３】
内部に設置する望遠鏡Ｔは、望遠鏡Ｔからフレーム２ａまでの距離、フレーム２ａの太さ等に対し所定の口径および焦点距離を有するものとしたことにより、図５（ｃ）に示すように、望遠鏡Ｔの視野角度範囲内にフレーム２ａが入っている場合、即ち実際はフレーム２ａが入る方向に望遠鏡Ｔのレンズを向けて観測した場合においても、図５（ｄ）に示すように、望遠鏡Ｔの視野画像内にフレーム２ａが写らない状態となる。
【００２４】
以上のように、この実施の形態５によれば、望遠鏡の観測用筐体１５を、観測用筐体１５の大きさ、望遠鏡Ｔからフレーム２ａまでの距離、フレーム２ａの太さ等に対し所定の口径および焦点距離を有する望遠鏡Ｔを観測用筐体１５の内部に設置することにより、望遠鏡Ｔの視野画像内にフレーム２ａが写らないようにする。このため、フレームを設けた観測用筐体の場合であっても、フレームが写らずきれいな画面で観測することができるという効果が得られる。
【００２５】
実施の形態６．
図６はこの発明の実施の形態６による望遠鏡の観測用筐体２１の構造を説明するための概略的な斜視図であり、中心付近に望遠鏡を設置した状態で示してある。図において、２１は望遠鏡の観測用筐体（筐体または観測建屋を総称したものである。）である。２２は複数の平面を接合してなる透明なドーム部である。実施の形態１と同様に、ドーム部２２は、複数の平面の接合部分およびドーム部２２と支持壁３との境目を辺とする多面体を構成し、ここでは四角錐形状であるが、複数の平面の接合部分に相当する辺が実施の形態４の観測用筐体１５と比較して長く、同時にこの４つの辺の底辺に対する傾斜が観測用筐体１５と比較して大きくなっている。傾斜の程度は、ドーム部２２に積雪、雨・霧・結露等の水滴の付着、黄砂の付着および堆積がいずれも防止できる程度のものとする。２２ａはドーム部２２の平面と平面の継ぎ目と、ドーム部２２と支持壁３との継ぎ目に設けられたフレームである。フレーム２２ａは例えば鉄等の金属からなり、観測用筐体の強度を高める目的で用いられるものである。
その他の構成および動作については実施の形態１と同様である。
【００２６】
以上のように、この実施の形態６によれば、観測用筐体２１をドーム部２２と支持壁３とフレーム２２ａとで構成している。このため、実施の形態１と同様の効果が得られる。
また、フレーム２２ａを備えたことにより、実施の形態４と同様の効果が得られる。
また、ドーム部２２の平面の傾斜を大きくしたことにより、積雪、雨・霧・結露等の水滴の付着、黄砂の付着および堆積を防止できるという効果が得られる。
【００２７】
実施の形態７．
図７はこの発明の実施の形態７の概略的な説明図であり、ここでは実施の形態４の観測用筐体１５において適用した場合につき説明する。図において、３ａは支持壁３の内面の一部に付着して設けられた除湿剤または除湿乾燥器等の除湿手段であり、３ｂは熱交換器である。観測用筐体１５は気密構造であるものとする。その他の構成は実施の形態４と同様である。
【００２８】
次に動作について説明する。
除湿手段３ａにより、観測用筐体１５の内部空間の除湿を行う。また、観測用筐体１５の内部の機器類の使用による発熱やドーム部２を通して取り込まれる日射等が原因で内部空間の温度上昇が起きたとき、熱交換器３ｂにより熱エネルギーを発生させて、外気とは遮断された状態で観測用筐体１５の内部の空気を冷却する。このようにして、観測用筐体の内部空間の温度と温度とを一定に保つ。
【００２９】
以上のように、この実施の形態７によれば、観測用筐体１５に除湿手段３ａを備えて構成している。このため、観測用筐体が気密構造の場合でも、ドーム部２内面への結露の発生を防ぐ効果が得られる。
また、熱交換器３ｂを備えて構成している。このため、観測用筐体が同様に気密構造の場合でも、観測用筐体１５の内部の温度上昇を防ぐ効果が得られる。
【００３０】
実施の形態８．
図８はこの発明の実施の形態８による望遠鏡の観測用筐体の構造を説明するための部分断面図であり、中心付近に設置した望遠鏡Ｔの正面図と、望遠鏡の設置場所付近の観測用筐体の断面図とを組み合わせて示したものである。ここでは実施の形態１の観測用筐体１に適用した場合につき説明する。なお、断面を表すハッチングは省略している。
図において、３ｃは支持壁３の内面に隣接して設けられた発熱体である。３ｄは、支持壁３の内面に沿って発熱体３ｃの下側からこの発熱体３ｃに向けて空気を送り込むファンまたはブロワ等の送風体である。矢印は空気の流れる方向を示したものである。これら発熱体３ｃおよび送風体３ｄは、ドーム部２の内面を加熱し、ドーム部２の外面に付着した雪および氷を解かす加熱手段として働く。
【００３１】
次に動作について説明する。
送風体３ｄを動作させて空気を集積し発熱体３ｃに送風する。送風された空気は発熱体３ｃにより適当な温度に温められ、矢印に示すようにドーム部２の内面に沿って上昇する。このことにより、ドーム部２は加熱され、ドーム部２の外面に付着した氷、雪等を溶かす。また同時に、氷や雪がドーム部２の外面に付着するのを防止する。
【００３２】
以上のように、この実施の形態８によれば、観測用筐体の支持壁３の内面に発熱体３ｃおよび送風体３ｄを設置している。このため、ドーム部２の外面に付着した氷、雪等を溶かしたり、氷や雪がドーム部２の外面に付着するのを防止したりする効果が得られる。また、簡素な構成であるため、コストを抑えることができるという効果が得られる。
【００３３】
実施の形態９．
図９はこの発明の実施の形態９による望遠鏡の観測用筐体の構造を説明するための部分断面図であり、中心付近に設置した望遠鏡の正面図と、フレームおよびダクトに沿った部分の観測用筐体の断面図（ドーム部の上側部分については正面図）とを組み合わせて示したものである。ここでは実施の形態４の観測用筐体１５に適用した場合につき説明する。なお、断面を表すハッチングは省略している。
図において、３ｅは支持壁３の外角部に設置された発熱体である。３ｆは、発熱体３ｅの下側から発熱体３ｅに向けて空気を送り込むファンまたはブロワ等の送風体である。４は送風体３ｆが設置されている辺りからドーム部２の上側に至るまで、フレーム２ａの外側の露出している部分に沿うように当接して設けられたダクトである。４ａはダクト４に設けられた、温められた空気の流出孔である。矢印は空気の流れる向きを示したものである。これら発熱体３ｅ、送風体３ｆ、ダクト４、流出孔４ａは、ドーム部２の外面を加熱し、ドーム部２の外面に付着した雪および氷を解かす加熱手段として働く。
【００３４】
次に動作について説明する。
ダクト４内下部の送風体３ｆを動作させて空気を集積し、発熱体３ｅに送風する。送風された空気は発熱体３ｅにより適当な温度に温められ、ダクト４内を上昇して流出孔４ａから、ドーム部２の外側表面に向かって流出する。このことにより、ドーム部２の外面に付着した氷、雪等を溶かす。また同時に、氷や雪がドーム部２の外面に付着するのを防止する。
【００３５】
以上のように、この実施の形態９によれば、観測用筐体の支持壁３の外面に発熱体３ｅおよび送風体３ｆを設置し、送風体３ｆが設置されている辺りからドーム部２の上側に至るまで、観測用筐体１５の外側を覆うようにダクト４が備えられている。このため、実施の形態８と同様の効果が得られる。
また、ドーム部２の外面に直接温風を当てて加熱することができるため、氷や雪に対して直接作用し、これらの除去や付着防止をより期待できるという効果が得られる。
なお、この実施の形態９では、フレーム２ａとダクト４とは別々に設けてあるが、フレーム自体を中空にしてダクトを兼ねる構成としても同様の効果が得られることは明らかである。
【００３６】
実施の形態１０．
図１０はこの発明の実施の形態１０による望遠鏡の観測用筐体の構造を説明するための部分断面図であり、中心付近に設置した望遠鏡Ｔの正面図と、望遠鏡の設置場所付近の観測用筐体の断面図とを組み合わせて示したものである。ここでは実施の形態１の観測用筐体１に適用した場合につき説明する。なお、断面を表すハッチングは省略している。
図において、３ｇは支持壁３の内面に設置された赤外線発生器である。３ｈは赤外線を反射させる目的で赤外線発生器３ｇの下側に設置された椀状の反射板である。点線で示される矢印は赤外線が照射される方向を示したものである。これら赤外線発生器３ｇおよび反射板３ｈは、ドーム部２の内面を加熱し、ドーム部２の外面に付着した雪および氷を解かす加熱手段として働く。
【００３７】
次に動作について説明する。
赤外線発生器３ｇを動作させて発生した赤外線は、反射板３ｈにより反射し、点線の矢印に示すようにドーム部２の内面に照射される。このことにより、ドーム部２は加熱され、ドーム部２の外面に付着した氷、雪等を溶かす。また同時に、氷や雪がドーム部２の外面に付着するのを防止する。
【００３８】
以上のように、この実施の形態１０によれば、観測用筐体の支持壁３の内面に赤外線発生器３ｇおよび反射板３ｈを設置している。このため、ドーム部２の外面に付着した氷、雪等を溶かしたり、氷や雪がドーム部２の外面に付着するのを防止したりする効果が得られる。また、簡素な構成であるため、設置が容易であるという効果が得られる。
【００３９】
実施の形態１１．
図１１はこの発明の実施の形態１１による望遠鏡の観測用筐体の構造を説明するための部分断面図であり、中心付近に設置した望遠鏡Ｔの正面図と、望遠鏡の設置場所付近の観測用筐体の断面図とを組み合わせて示したものである。ここでは実施の形態１の観測用筐体１に適用した場合につき説明する。なお、断面を表すハッチングは省略している。
図において、３ｉは支持壁３の内面に設置された電波発生器である。３ｊは電波を反射させる目的で電波発生器３ｉの下側に設置された椀状の反射板である。点線で示される矢印は電波が照射される方向を示したものである。
【００４０】
次に動作について説明する。
電波発生器３ｉを動作させて、水分子に共振する周波数の電波（２．４ＧＨｚ）を発生させる。発生した電波は、反射板３ｊにより反射し、点線の矢印に示すようにドーム部２の内面に照射される。このことにより、ドーム部２の外面に付着した氷、雪等を溶かす。また同時に、氷や雪がドーム部２の外面に付着するのを防止する。
【００４１】
以上のように、この実施の形態１１によれば、観測用筐体の支持壁３の内面に電波発生器３ｉおよび反射板３ｊを設置している。このため、ドーム部２の外面に付着した氷、雪等を溶かしたり、氷や雪がドーム部２の外面に付着するのを防止したりする効果が得られる。また、簡素な構成であるため、設置が容易であるという効果が得られる。
【００４２】
実施の形態１２．
図１２はこの発明の実施の形態１２の概略的な説明図である。ここでは実施の形態４の観測用筐体１５に適用した場合につき説明してあり、観測用筐体１５の概略的な斜視図を、中心付近に望遠鏡を設置した状態で示してある。図において、２ｂはドーム部２の頂点（フレーム２ａの頂点）に設けられた棒状の突起であり、鳥がドーム部２の頂点に止まるのを防止する目的で備えられたものである。
【００４３】
以上のように、この実施の形態１２によれば、観測用筐体の頂点に棒状の突起部２ｂを備えて構成している。このため、鳥がドーム部２の頂点に止まり、平面ガラスに糞をすることにより、ドーム部２が汚れて観測上視覚弊害をもたらしたり、また、フレーム２ａが腐食したりするおそれがなくなるという効果が得られる。
【００４４】
なお、この発明の実施の形態１から実施の形態１２において、観測用筐体の大きさは目的に応じて自在に決定される。
小型の望遠鏡の観測用筐体とする場合は、例えば密閉された小型の筐体として構成し、観測用筐体内の望遠鏡が観測する対象物を、観測用筐体とは異なる場所で監視する形により観測する。
また、天文台等、大規模な観測建屋として構成することも可能である。その場合、支持壁部分に適切な大きさの人の出入口や、機器類等の搬出入口等も設けて構成する。
また、観測用筐体内における望遠鏡の上側に、広角が５０度前後の地上用カメラを設置する場合には、フレーム間の平面を、地上用カメラにフレームが映らない大きさにする。
また、以上に限定されることなく、その他さまざまな大きさ、観測態様に適用可能である。
【図面の簡単な説明】
【００４５】
【図１】この発明の実施の形態１による望遠鏡の観測用筐体の構造を説明するための概略的な斜視図である。
【図２】この発明の実施の形態２による望遠鏡の観測用筐体の構造を説明するための概略的な斜視図である。
【図３】この発明の実施の形態３による望遠鏡の観測用筐体の構造を説明するための概略的な斜視図である。
【図４】この発明の実施の形態４による望遠鏡の観測用筐体の構造を説明するための概略的な斜視図である。
【図５】この発明の実施の形態５の概略的な説明図である。
【図６】この発明の実施の形態６による望遠鏡の観測用筐体の構造を説明するための概略的な斜視図である。
【図７】この発明の実施の形態７の概略的な説明図である。
【図８】この発明の実施の形態８による望遠鏡の観測用筐体の構造を説明するための部分断面図である。
【図９】この発明の実施の形態９による望遠鏡の観測用筐体の構造を説明するための部分断面図である。
【図１０】この発明の実施の形態１０による望遠鏡の観測用筐体の構造を説明するための部分断面図である。
【図１１】この発明の実施の形態１１による望遠鏡の観測用筐体の構造を説明するための部分断面図である。
【図１２】この発明の実施の形態１２の概略的な説明図である。
【図１３】従来の開閉ドーム式の観測用筐体の構造を説明するための部分断面図である。
【図１４】スライド式の開閉部を備えた屋根を有する従来の観測用筐体の部分断面図である。
【図１５】回転式筐体を有する従来の観測用筐体の側面図である。
【図１６】望遠鏡を内部に設置して屋外使用する従来のドーム式の観測用筐体の構造を説明するための部分断面図である。
【符号の説明】
【００４６】
１，５，１１，１５，２１  観測用筐体、２，６，１２，２２  ドーム部、２ａ  フレーム、３，７，１３  支持壁、３ａ  除湿手段、３ｂ  熱交換器、３ｃ，３ｅ  発熱体、３ｄ，３ｆ  送風体、３ｇ  赤外線発生器、３ｈ，３ｊ  反射板、３ｉ  電波発生器、４  ダクト、４ａ  流出孔、Ｔ  望遠鏡。
【図１】
2005316498.tif 000003
【図２】
2005316498.tif 000004
【図３】
2005316498.tif 000005
【図４】
2005316498.tif 000006
【図５】
2005316498.tif 000007
【図６】
2005316498.tif 000008
【図７】
2005316498.tif 000009
【図８】
2005316498.tif 000010
【図９】
2005316498.tif 000011
【図１０】
2005316498.tif 000012
【図１１】
2005316498.tif 000013
【図１２】
2005316498.tif 000014
【図１３】
2005316498.tif 000015
【図１４】
2005316498.tif 000016
【図１５】
2005316498.tif 000017
【図１６】
2005316498.tif 000018